(57)【要約】      （修正有）【課題】エレベータ保守員以外の者による工具類のいたずらを防止することができるとともに、エレベータ保守員が保守作業時に容易に工具類の出し入れを行うことができるエレベータのかご装置を得る。【解決手段】エレベータ昇降路内を昇降するかご２と、このかごの出入口側下部から下方に垂設され、その側面に開口部９が形成されたかご側転落防止板６と、かごの出入口側下部に設けられ、かご側転落防止板に形成された開口部から工具類を出し入れ可能に配置された工具トランク１１と、かご側転落防止板に形成された開口部を塞ぐとともにエレベータ乗場から開閉自在に設けられたトランク蓋１２とを備える。【選択図】図１
2006248630.tif 000002
【特許請求の範囲】
【請求項１】
エレベータ昇降路内を昇降するかごと、このかごの出入口側下部から下方に垂設され、その側面に開口部が形成されたかご側転落防止板と、前記かごの出入口側下部に設けられ、前記かご側転落防止板に形成された前記開口部から工具類を出し入れ可能に配置された工具トランクと、前記かご側転落防止板に形成された前記開口部を塞ぐとともにエレベータ乗場から開閉自在に設けられたトランク蓋とを備えたことを特徴とするエレベータのかご装置。
【請求項２】
トランク蓋は、その下端部がかご側転落防止板に回動自在に設けられ、その上端部が乗場側に傾倒されることによってかご側転落防止板に形成された開口部を開放することを特徴とする請求項１に記載のエレベータのかご装置。
【請求項３】
エレベータ昇降路内を昇降するかごと、このかごの出入口側上面に設けられた工具トランクと、この工具トランクに形成された開口部と、この開口部を塞ぐとともにエレベータ乗場から開閉自在に設けられたトランク蓋とを備えたことを特徴とするエレベータのかご装置。
【請求項４】
開口部は、工具トランクの上面に形成され、トランク蓋は、反出入口側端部が前記工具トランクに回動自在に設けられたことを特徴とする請求項３に記載のエレベータのかご装置。
【発明の詳細な説明】
【技術分野】
【０００１】
この発明は、エレベータの保守作業時に必要な工具類等を収納する工具トランクを備えたエレベータのかご装置に関するものである。
【背景技術】
【０００２】
従来のエレベータ装置には、エレベータ昇降路の上方に制御盤や巻上機等を設置するための機械室が備えられていたため、エレベータの保守作業時に必要な工具類及び油類等を収納する工具トランクは、一般の利用者が立ち入ることのできないこの機械室に設置されていた。これに対し、制御盤や巻上機等を昇降路内等に配置してエレベータ装置の占有スペースを削減させた機械室レスエレベータ装置には、上記機械室が備えられていない。このため、かかるエレベータ装置には新たに工具トランクを設置するためのスペースが必要となっていた。
【０００３】
ここで、従来機械室に設置されていた制御盤等と同様に、昇降路ピット部に工具トランクを設置することも考えられるが、エレベータの保守員が昇降路ピット部へ立ち入るには、最下階に停止しているかごを上方階に移動させて上方階においてかごの休止措置を行うとともに、階段等を利用して再び最下階に降りた後にも、さらに周囲の安全確保や梯子の組立等の多くの作業が必要となるため、多大な時間と手間とを要して作業効率が悪化する要因となってしまう。なお、保守作業後にも、上記と逆の手順によってエレベータを復帰させなければならず、作業効率の悪化を免れることはできなかった。したがって、機械室レスエレベータ装置が設置されている場所では、エレベータ装置が設置されている建築物の所有者や使用者等の占有スペースの一部をエレベータ保守会社が借りて、そこに上記工具トランクを設置しているというのが現状である。
【０００４】
なお、エレベータのかご装置の従来技術として、かご室内の床面に上方に開口するトランクが設けられ、かご室内の寸法を超える長さの長尺物を運搬できるようにしたものが提案されている（例えば、特許文献１参照）。
【０００５】
【特許文献１】特開２００４−２４４１８９号公報
【発明の開示】
【発明が解決しようとする課題】
【０００６】
工具トランクの設置場所として建築物の所有者等の占有スペースを利用している場合、工具トランクの設置場所によっては、保守作業前に工具類等を取りに行ったり保守作業後に工具類等を工具トランクへ戻したりすることにかなりの時間を要し、作業効率が悪化するという問題が生じていた。例えば、エレベータ装置が地下鉄の駅に設置されている場合、駅の利用者が利用する場所には工具トランクを設置することはできないため、エレベータ装置の設置場所と工具トランクの設置場所とが２００ｍ〜３００ｍ離れてしまうようなこともある。かかる場合には、工具類等の出し入れだけで作業時間を浪費してしまう。なお、図３は従来のエレベータ装置における上記のような問題点を表したものである。
【０００７】
また、特許文献１記載のかご装置に設けられたトランクは、長尺物を運ぶためのものであり、その目的が本発明とは全く異なるものである。仮に、特許文献１記載のトランクを上記工具トランクとして利用したとしても、かご室内の意匠が損なわれるとともに、エレベータ利用者のいたずら等の被害に遭う恐れがあるといった問題があり、あまり実用的ではない。
【０００８】
この発明は、上述のような課題を解決するためになされたもので、その目的は、エレベータ保守員以外の者による工具類のいたずらを防止することができるとともに、エレベータ保守員が保守作業時に容易に工具類の出し入れを行うことができるエレベータのかご装置を提供することである。
【課題を解決するための手段】
【０００９】
この発明に係るエレベータのかご装置は、エレベータ昇降路内を昇降するかごと、このかごの出入口側下部から下方に垂設され、その側面に開口部が形成されたかご側転落防止板と、かごの出入口側下部に設けられ、かご側転落防止板に形成された開口部から工具類を出し入れ可能に配置された工具トランクと、かご側転落防止板に形成された開口部を塞ぐとともにエレベータ乗場から開閉自在に設けられたトランク蓋とを備えたものである。
【００１０】
また、エレベータ昇降路内を昇降するかごと、このかごの出入口側上面に設けられた工具トランクと、この工具トランクに形成された開口部と、この開口部を塞ぐとともにエレベータ乗場から開閉自在に設けられたトランク蓋とを備えたものである。
【発明の効果】
【００１１】
この発明は、エレベータ昇降路内を昇降するかごと、このかごの出入口側下部から下方に垂設され、その側面に開口部が形成されたかご側転落防止板と、かごの出入口側下部に設けられ、かご側転落防止板に形成された開口部から工具類を出し入れ可能に配置された工具トランクと、かご側転落防止板に形成された開口部を塞ぐとともにエレベータ乗場から開閉自在に設けられたトランク蓋とを備える構成としたことで、エレベータ保守員以外の者による工具類のいたずらを防止することができるとともに、エレベータ保守員が保守作業時に容易に工具類の出し入れを行うことができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベータのかご装置であり、（ａ）はその正面図、（ｂ）はその側面図を示したものである。図１において、エレベータ昇降路１内を昇降するかご２は主索（図示せず）により懸吊されており、この主索の一端部が連結されたかご枠（図示せず）にかご床３が固定されている。そして、このかご床３上に、エレベータ利用者が乗降するかご室４、及び、かご室４に形成されたかご出入口を開閉するかごドア５が設けられている。
【００１４】
また、かご側転落防止板６と乗場側転落防止板７とは、かご２の着床位置が何らかの原因により本来の着床位置からずれてしまった場合に、かご室４内の乗客及びエレベータ乗場８にいる利用客がかご２と乗場８との間に挟まれたり、昇降路１内に転落したりすることを防止するために設けられたものであり、かご２が乗場８の本来の位置に停止した際に所定の間隙を有して互いに対向するように、かご床３及び各乗場８に設けられている。上記かご側転落防止板６は、かご床３のかご出入口側端部、即ち、かごドア５の敷居部分にその上端部が設けられ、その下部がかご２の下方に突出するようにかご出入口の幅方向に渡って配置されている。また、その下端部は、反乗場８側に曲成された傾斜面に形成されている。
【００１５】
かご２の出入口側端部から下方に垂設された上記かご側転落防止板６には、その側面に略長方形状を呈する開口部９が形成されている。そして、かご２の出入口側下面に支持材１０を介して支持された工具トランク１１は、一側に形成されたその開口部（図示せず）が、かご側転落防止板６に形成された上記開口部９の位置に合うように、かご側転落防止板６の反乗場８側側面、即ち、その裏面に設けられ、乗場８にいるエレベータ保守員が、工具トランク１１内に収納された工具類や油類をかご側転落防止板６に形成された開口部９から出し入れすることができるように配置されている。また、かご側転落防止板６に形成された開口部９を塞ぐトランク蓋１２は、その下端部が開口部９の下縁部に回動自在に設けられ、乗場８にいるエレベータ保守員がその上部を乗場８側に傾倒することにより開口部９を開閉することができるように構成されている。なお、このトランク蓋１２にはトランク鍵１３が設けられており、保守作業時以外にトランク蓋１２が開放しないように安全対策が施されている。
【００１６】
次に、上記構成を有するかご装置におけるエレベータ保守作業時の動作について説明する。通常運転時、エレベータのかご２はかご床３が乗場８の床面と略面一に着床するように制御されているため、エレベータ利用者等は、工具トランク１１のトランク蓋１２を開放することはできない。一方、エレベータ保守作業時には、先ず、エレベータ保守員がかご室４内からの手動操作により、乗場８の通常の着床位置に停止しているかご２を所定距離だけ上昇させる。その後、この保守員は、かごドア５を開放して乗場８に移動し、乗場８からトランク鍵１３を解錠して必要な工具類や油類等を工具トランク１１から取り出す。この時、乗場８側に傾倒されたトランク蓋１２が、乗場８の床面に載置されるようにする。かかる構成を有することにより、かご側転落防止板６と乗場８の昇降路１側端部との間に形成される僅かな間隙をトランク蓋１２によって塞ぐことができる。このため、乗場８にいるエレベータ保守員が工具類等を工具トランク１１に出し入れする際に、その工具類等が昇降路１内に落下するような事故を防止することが可能となる。なお、ボルトやナットのような小型で転がり易いものの落下を確実に防止するため、トランク蓋１２の両側に、その開放時に上方に突出するような立ち上り部を形成するようにしても良い。なお、エレベータ保守員は、保守作業後も同様の作業により乗場８から工具類等を工具トランク１１に戻すことが可能となる。
【００１７】
この発明の実施の形態１によれば、エレベータ保守員は、保守作業時の工具類等の出し入れを乗場８において行うことができるため、保守時の作業効率が大幅に向上する。また、かご室４内に工具トランク１１が配置されていないため、かご室４の意匠性を損ねることもなく、また、エレベータ保守員以外の者による工具類等のいたずらを確実に防止することが可能となる。なお、従来使用されていなかったかご２の下方に工具トランク１１を設置しているため、工具トランク１１をある程度大きく確保することが可能であり、大型の工具類等も収納可能に構成できる。
【００１８】
実施の形態２．
図２はこの発明の実施の形態２におけるエレベータのかご装置であり、（ａ）はその正面図、（ｂ）はその側面図を示したものである。図２において、１４は、エレベータ保守作業時に必要な工具類及び油類等を収納する工具トランクであり、エレベータ昇降路１内を昇降するかご２の出入口側上面に、かご出入口の幅方向に渡って設けられている。また、工具トランク１４には、その上面に開口部（図示せず）が形成されており、この開口部を塞ぐようにトランク蓋１５が設けられている。なお、このトランク蓋１５は、その反出入口側端部が工具トランク１４に回動可能に設けられており、乗場８にいるエレベータ保守員がその出入口側端部を上方に持ち上げることにより工具トランク１４の開口部を開閉することができるように構成されている。
【００１９】
次に、上記構成を有するかご装置におけるエレベータ保守作業時の動作について説明する。通常運転時、エレベータのかご２は、かご出入口の上縁部が乗場出入口の上縁部と略同高さに着床するように制御されているため、エレベータ利用者等は、工具トランク１４のトランク蓋１５を開放することはできない。一方、エレベータ保守作業時には、先ず、エレベータ保守員が乗場８からの手動操作により、乗場８の通常の着床位置に停止しているかご２を所定距離だけ下降させる。その後、この保守員は、乗場８から、若しくは、かご２の上面移動後にかご２上からトランク鍵（図示せず）を解錠して必要な工具類や油類等を工具トランク１４から取り出す。なお、エレベータ保守員は、保守作業終了後も同様の作業により、乗場８から、若しくは、かご２上から工具類等を工具トランク１４に戻すことが可能となる。
【００２０】
この発明の実施の形態２によれば、エレベータ保守員は、保守作業を行うことが多いかご２の上面においても容易に工具類の出し入れが可能となり、保守時の作業効率の改善を図ることが可能となる。なお、その他は、実施の形態１と同様の構成及び効果を奏する。
【図面の簡単な説明】
【００２１】
【図１】この発明の実施の形態１におけるエレベータのかご装置であり、（ａ）は正面図、（ｂ）は側面図である。
【図２】この発明の実施の形態２におけるエレベータのかご装置であり、（ａ）は正面図、（ｂ）は側面図である。
【図３】従来のエレベータ装置の問題点を示した図である。
【符号の説明】
【００２２】
１  昇降路
２  かご
３  かご床
４  かご室
５  かごドア
６  かご側転落防止板
７  乗場側転落防止板
８  乗場
９  開口部
１０  支持材
１１、１４  工具トランク
１２、１５  トランク蓋
１３  トランク鍵
【図１】
2006248630.tif 000003
【図２】
2006248630.tif 000004
【図３】
2006248630.tif 000005